(57)【特許請求の範囲】
【請求項１】
立設した複数の側板で囲われて形成されるエレベータかご室であって、
第１の側板の前記かご室外に形成される側縁部に沿って配置される段差部と、
第２の側板の前記かご室外に形成される側縁部に一端が締結され、他端に弾性を有しかつ前記締結方向に押圧する押え部が形成される複数のＬ字状板体と、
を備え、第１の側板の前記側縁部が第２の側板と当接しかつ前記押え部が前記段差部を越えて嵌合することで前記第２の側板と前記第１の側板が固定されることを特徴とするエレベータのかご室。
【請求項２】
前記第２の側板に締結された前記Ｌ字状板体が嵌合される前記第１の側板の前記段差部に対応する切欠部を有して成ることを特徴とする請求項１に記載のエレベータのかご室。
【請求項３】
かご床に幅木を立設し、この幅木の上部に側板を立設した側壁で囲われるエレベータかご室であって、
前記側板のかご室外に形成される下部縁部に沿って配置される段差部と、
前記幅木のかご室外となる上部縁部に一端が締結され、他端に弾性を有しかつ前記締結方向に押圧する押え部が形成される複数のＬ字状板体と、
を備え、側板の前記下部縁部が前記幅木の上部縁部と当接しかつ前記押え部が前記段差部を越えて嵌合することで前記幅木と前記側板が固定されることを特徴とするエレベータのかご室。
【請求項４】
前記段差部はヘミング曲げにより形成されて成ることを特徴とする請求項１又は請求項３に記載のエレベータのかご室。
【請求項５】
前記段差部は、プレス加工により凹凸を形成して成ることを特徴とする請求項１又は請求項３に記載のエレベータのかご室。
【発明の詳細な説明】
【０００１】
【発明の属する技術分野】
本発明は、エレベータのかご室構造に関する。
【０００２】
【従来の技術】
一般に、従来のエレベータかご室は、図５（ａ）の平面図に示すような構造を有する。即ち、エレベータ室５０の底面となるかご床５１の上に、その周縁に沿って立設した複数の側板５４ａ〜５４ｈと出入口柱５６ａ、５６ｂと開閉扉５９を備えて、これ等のさらに上にかご天井を載せて構成される。
【０００３】
このようなエレベータのかご室５０における側板連結部の断面図を、図５（ｂ）に示す。この側板連結部では、かご床５１の角部において隣合う側板５４ｃと側板５４ｄが、それぞれの端部の側面と前面とを重ね合わせた状態で配置され、側板５４ｃ、５４ｄのそれぞれに設けられた締結孔６２にボルト６０を通し、ナット６１を締めることによって締結されている。
【０００４】
しかしながら、このような従来の側板連結部構造を有するエレベータかご室では、隣合う側板の連結作業がかご室の外側からしかできない構造となっている。したがって組み立ての際に作業者は、エレベータ昇降路内に出たり、かご上部に乗って作業をする必要があり、危険に対する配慮が必要になるという問題点があった。
【０００５】
また、側板連結部に連結材を設け、連結材の締結作業用孔から連結作業を行う発明も公開されているが、この場合には連結作業用孔を覆う表面化粧板が必要となり、またこの作業用孔が見えないようにするために意匠的な制約もある。
【０００６】
【発明が解決しようとする課題】
上で述べたように、従来のエレベータかご室の構造は、かご室の外側での組立作業を要し、作業の能率と安全性の点で問題があった。また、他の従来技術では、作業用孔を設けてかご室内から作業する場合では、意匠的な問題があった。
【０００７】
本発明は、上記のような従来技術の問題点に鑑みてなされたもので、かご室の内部から安全に組立ができ、しかも意匠的な制約を受けないエレベータかご室を提供することを目的とする。
【０００８】
【課題を解決するための手段】
上記目的を達成するために、本発明の請求項１によれば、立設した複数の側板で囲われて形成されるエレベータかご室であって、第１の側板の前記かご室外に形成される側縁部に沿って配置される段差部と、第２の側板の前記かご室外に形成される側縁部に一端が締結され、他端に弾性を有しかつ前記締結方向に押圧する押え部が形成される複数のＬ字状板体とを備え、第１の側板の前記側縁部が第２の側板と当接しかつ前記押え部が前記段差部を越えて嵌合することで前記第２の側板と前記第１の側板が固定されることを特徴とするエレベータかご室を提供する。
【０００９】
本発明の請求項３によれば、かご床に幅木を立設し、この幅木の上部に側板を立設した側壁で囲われるエレベータかご室であって、前記側板のかご室外に形成される下部縁部に沿って配置される段差部と、前記幅木のかご室外となる上部縁部に一端が締結され、他端に弾性を有しかつ前記締結方向に押圧する押え部が形成される複数のＬ字状板体とを備え、側板の前記下部縁部が前記幅木の上部縁部と当接しかつ前記押え部が前記段差部を越えて嵌合することで前記幅木と前記側板が固定されることを特徴とするエレベータかご室を提供する。
【００１０】
【発明の実施の形態】
以下、本発明の実施形態を図面により詳細に説明する。
【００１１】
図１（ａ）は、本発明のエレベータかご室の第１の実施形態を示す側板連結の斜視図であり、同図（ｂ）は前記側板連結の断面図である。本発明のこの実施形態は、図５に示した構造の側板５４ｅと側板５４ｆが配置されているような角部に適用されるものある。例えば、図１（ａ）の側板１１が側板５４ｅに、側板１２が側板５４ｆに対応して、側板１１の前面に側板１２の側縁部１２ａが当接している場合を示している。
【００１２】
この実施形態では，その前面に他の側板１２が当接する側板１１の側縁部１１ａに、Ｌ字状の弾性材で形成されて、その先端の押え部１３が側板１１の前面に沿って延在する板材１４の他端が、締結手段１５により締結しされる。
【００１３】
また、同図（ｂ）に示すように、側板１１，１２の側縁部１１ａ、１２ａはヘミング曲げによる折返しが施され、この折返し部（以降、折返しと呼ぶ)は段差部（以降、段差と呼ぶ）１６を有して、この段差１６は前記板材１４の押え部１３と嵌合する位置に設けられている。このヘミング曲げによる折返しは、側縁部の強度を増すことと端辺による作業者の安全（切り傷防止）も図る。
【００１４】
なお、この板材１４は、エレベータかご室の他の角部の側板連結部の上下複数箇所に設けられる。
【００１５】
この実施形態によるエレベータかご室の角部の側壁面組立は、板材１４が締結された側板１１を立設し、側板１２の側縁部１２ａを側板１１の前面に当接されている。
【００１６】
次に、この側板１２を図１（ａ）の矢印１７の方向、すなわちエレベータかご室の外側へ押して、移動させると、側板１２の側縁部１２ａが板材１４の押え部１３に押圧されながら挿入されて、その側縁部１２ａの先端が板材１３の締結面部１８に当接して、側板１２の組立て押込み位置は正確に規制されて嵌入組立が完了する。
【００１７】
この嵌入が完了した位置で、押え部１３は側縁部１２ａの段差１６の端辺面に位置して、板材１４の弾性が緩み、側板１２の側縁部１２ａを側板１１の方に押えて同じく位置の規制を維持する。その後、側板１２全体を均等に押込み移動させて、側板連結部の複数の板材１４に対し、ほぼ同時に前記嵌入組立てを行って、この角部の側板連結部の連結を完了する。このような連結部の組立てをエレベータかご室の他の角部の側板連結部に、同様に順次、実施する。
【００１８】
この実施形態では、側板１２の側縁部１２ａは板材１４の押え部１３によって側板１１に押圧されると共に、側縁部１２ａの先端が板材１４の締結面部１８に当接して、側板材１２の位置は正確に規制され、角部の隣接する側板相互が連結できる。
【００１９】
上述のように、かご室の内側から矢印１７の示す外側の方向に側板１２を押して移動させ、２つの側板の隣接部をボルト・ナットを使用せずに結合する。したがってこの実施形態によれば、エレベータかご室の据付組立作業が安全で、且つ円滑に行うことができ、作業時間を短縮することができる。
【００２０】
また、本発明のこの実施形態によれば、連結部に作業用孔を必要としないので、意匠的な制約を受けず、外観を損じない利点がある。さらに、改修や意匠変更の場合には、側板１２をかご室の内側に引っ張れば、容易に交換ができるので、保守性及びサービス性を向上させたエレベータ室を提供できる効果もある。また、比較的単純な曲げ加工のみで、この実施形態の構成を形成できるので、かご室の製作コストを低減できる。
【００２１】
次に、この第１の実施形態の組立作業性をさらに改善した第２の実施形態を説明する。図２は、本発明の第２の実施形態の斜視図である。
【００２２】
上述の第１の実施形態では、側板の側縁部の上部から下部まで一直線の段差を有していた。これに対してこの第２の実施形態では、図２に示すように、段差２１ａの上下に段差２１ａより深い端辺部２１ｂを設け、段差２１ａに切欠部を形成して、板材１４の押え部１３の幅に合わせて嵌合する構成にしている。
【００２３】
この構成を有する、本発明の第２の実施形態は、板材１４に側板１２を嵌合するときに、板材１４がこの切欠部の段差２１ａを規制して、側板１２の上下方向のずれた位置に圧接されることがない。
【００２４】
この実施形態では、板材１４と側縁部１２ａの嵌合は、第１の実施形態と同様に、側板の連結組立がエレベータかご室の内側から可能であり、さらに切欠部の段差２１ａにより側板の上下位置が規制されて、より正確に据付組立作業が行えるので、側板位置の調整がさらに容易に行えるエレベータかご室を提供することができる。
【００２５】
次に、本発明において、かご床に取付けられた幅木と側板の下部の連結部に実施される第３の実施形態エレベータかご室について、図３を用いて説明する。
【００２６】
図３は、エレベータかご床に取付けられた幅木３１と側板３３の下部との連結部を側方から見た断面図である。幅木は、エレベータかご室の側壁の下部を構成する壁部材で、かご床と側板との間に設置されて、意匠上、幅木の前面は側板の前面より僅かに後方に位置する場合が多い。
【００２７】
この実施形態では、図３に示すように、幅木３１の下端がかご床３２に取付けられ、幅木３１の上端側はコ字形に加工形成され、その上端側面部３１ａが接する側板３３の下部縁部３３ａの幅より狭い幅を有し、さらに外側端面部３１ｂに、Ｌ字状の弾性材で形成された板材１４が締結手段１５により締結してあり、その板材１４の他端は、押え部１３を有し、前記上端側面部３１ａに沿って延在する。一方、幅木３１と連結する側板３３の下部縁部３３ａには、ヘミング曲げによる折返しが施され、この折返しは段差３４を有して、この段差３４は前記板材１４の押え部１３と嵌合する位置に設ける。また、このヘミング曲げによる折返しは、下部縁部３３ａの強度を増すことと端辺による作業者の安全を図るものでもある。なお、この板材１４は、側板下部の連結部に複数個を設ける。
【００２８】
この実施形態では、幅木３１の上端のコ字形上端側面ぶ３１ａと側板３３の下部縁部３３ａとを当接して、この側板３３をかご室の内側から室外の方向へ移動させると、側板３３の下部縁部３３ａが板材１４の押え部１３に押圧されながら挿入されて、その下部縁部の先端が板材１４に当接して、側板３３の組立て位置は正確に規制されて嵌合する。さらに嵌合が完了すると、板材１４の押え部１３が段差３４を通過して、下部縁部３３ａを幅木３１の方に押えて、同じく位置の規制を維持して、上端側面部３１ａと下部縁部３３ａとの幅の差だけ前面がずれた並行な面で側板を立設できる。
【００２９】
上記第３の実施形態の説明では、ずれた並行な前面を形成する幅木３１と側板３３の連結を示したが、図５（ａ）の側板５４ｆと側板５４ｇのように立設した側板相互の前面を一直線に位置して連結する場合には、側板の一方の側縁部をコ字形に曲げ加工を施して連結する。
【００３０】
図４は、側板相互の前面を一直線に位置して連結する本発明の第４の実施形態を示す連結部の断面図である。この実施形態では、立設した側板４１の一方の側縁部をコ字形曲げ加工を施し、その室外端面部４１ａにＬ字状の板材１４を締結し、その他端は、押え部１３を有し、端部側面４１ｂに沿って延在する。側板４１に隣接させる側板４２の側縁部には、段差４３を有したヘミング曲げを設ける。
【００３１】
この実施形態では、側板４１の板材１４を有するコ字形に加工された側縁部の端部側面４１ｂに、側板４２のヘミング曲げを施した側縁部を、かご室の内部から外側へ当接させて移動し、両側板４１、４２の前面が平面となるよう嵌合して、側板相互を平面連結する。
【００３２】
この実施形態によれば、エレベータ室の内側から行う作業により側板相互をその前面が平面となる連結をすることができるので、据付組立および改装・保守の作業において、安全性やサービス性が向上したエレベータ室を提供できる。
【００３３】
上述の第１乃至第４の実施形態では、側板の側縁部の段差をヘミング曲げによる端辺面で構成したが、プレス加工等による凹凸で形成した側縁部の相対厚さの変形を段差と置き換えても、側縁部の嵌入した後の位置規制を同様に行うことができ、エレベータかご室の据付組立における側板連結を室内から作業することを同様に達成することができる。
【００３４】
【発明の効果】
以上説明したように本発明によれば、エレベータかご室の組立がかご室内部から可能となって安全で迅速な据付組立作業ができる。さらに意匠的な制約も受けないエレベータかご室を得ることが可能となる。
【図面の簡単な説明】
【図１】本発明の第１の実施形態を示す斜視図及び断面図。
【図２】本発明の第２の実施形態を示す斜視図。
【図３】本発明の第３の実施形態の連結部を示す断面図。
【図４】本発明の第４の実施形態の連結部を示す断面図。
【図５】従来のエレベータかご室を示す平面図及び側板連結部の断面図。
【符号の説明】
１１、１２、３３、４２、４１・・・側板、
１１ａ、１２ａ、・・・側縁部、
１３・・・押え部、
１４・・・板体、
１５・・・締結手段、
１６、３４、４３・・・段差、
１８・・・締結面部、
２１ａ・・・切欠部、
２１ｂ・・・深い端辺部、
３１・・・幅木、
３２、５１・・・かご床、
３３ａ・・・下部縁部、
４１ａ・・・室外端面部、
４１ｂ・・・端部側面、
５０・・・エレベータかご室、
５４ａ〜５４ｈ・・・側板、
５６ａ、５６ｂ・・・出入口柱、
５９・・・開閉扉、
６０・・・ボルト、
６１・・・ナット、
６２・・・締結孔。
【図１】
0004170008.tif 000002
【図２】
0004170008.tif 000003
【図３】
0004170008.tif 000004
【図４】
0004170008.tif 000005
【図５】
0004170008.tif 000006